(57)【要約】【課題】  被介護者等の階段における搬送が容易に、かつ、安全に行われるようにする。【解決手段】  後下部に電動駆動される移動用ベルト体１０が階段１００の傾斜方向に沿うよう傾斜配置されて構成され、階段１００の水平面５０へのロック体２８を備える車椅子。【選択図】図１
2018130511.tif 000002
【特許請求の範囲】
【請求項１】
後下部に電動駆動される移動用ベルト体が階段の傾斜方向に沿うよう傾斜配置されて構成されてなる車椅子。
【請求項２】
下枠部と座部と前記移動用ベルト体とが背枠部に重ね状態に折り畳まれる請求項１記載の車椅子。
【請求項３】
前記階段の水平面へのロック体を備える請求項１または２記載の車椅子。
【発明の詳細な説明】
【技術分野】
【０００１】  この発明は、介護等において使用される車椅子に関する。
【背景技術】
【０００２】  車椅子に座る被介護者等を階段において搬送するのには、非常に手間がかかり、また、危険が伴う。
【発明の概要】
【発明が解決しようとする課題】
【０００３】  この発明は被介護者等の階段における搬送が容易に、かつ、安全に行われるようにすることを目的とする。
【課題を解決するための手段】
【０００４】  この発明では、後下部に電動駆動される移動用ベルト体が階段の傾斜方向に沿うよう傾斜配置されて構成されてなる車椅子を提供する。【０００５】  上記車椅子は、被介護者等が座った状態において移動用ベルトが作動されることで、階段に沿ってスムーズに移動される。【０００６】    下枠部と座部と移動用ベルト体とが背枠部に重ね状態に折り畳まれる構成とされることで、非使用時にコンパクトにできる。【０００７】    階段の水平面へのロック体を備える構成とすることで、階段移動時に滑り等が発生した際に、ロック体によりロックされることで安定する。
【発明の効果】
【０００８】  この発明によれば、被介護者等の階段における搬送が容易に、かつ、安全に行われるようになる。
【図面の簡単な説明】
【０００９】
【図１】  この発明の車椅子の前面側斜視図
【図２】  この発明の車椅子の背面側斜視図
【図３】  この発明の車椅子のロック体の構成説明図
【図４】  この発明の車椅子の作動説明図
【図５】  この発明の車椅子の作動説明図
【発明の実施形態】
【００１０】  図１はこの発明の車椅子の前面側斜視図、図２は同背面側斜視図である。車椅子１は下面側の４隅にキャスター３のそれぞれが取り付けられた下枠部５と、座部７と、下枠部５と座部７とが取り付けられる背枠部９と、後下部に取り付けられる移動用ベルト体１０とから構成されている。背枠部９の上部には操作バー４０が矢印方向に引き出し可能に設けられ、その中央には操作スイッチが設けられた操作部４２が取り付けられ、操作部４２は電源電池を内蔵していて操作スイッチによる作動信号が無線によって発せられるようになっている。背枠部９の上部にはエアが注入された膨らみ体２と固定ベルト４とからなる頭受け体６が取り付けられている。膨らみ体２は前面の中央が縦方向に凹んでいることで、頭が安定して受けられるようになっている。
【００１１】  下枠部５と座部７とは背枠部９に回動可能に取り付けられるとともにリンク部材１１により連接されている。リンク部材１１の両端部が下枠部５の内面のガイド溝１３に沿って移動可能とされ、これによりリンク部材１１の操作ロッド１２を持ち上げることで下枠部５と座部７とは背枠部９に重ね状態に折り畳まれるようになっている。
【００１２】  移動用ベルト体１０は一対のフレーム１２と、その周面に外嵌め装着される内周面にギヤが設けられた一対のゴム製の環状ギヤベルト１４と、一対のフレーム１２間下部に取り付けられる駆動ユニット１６とから構成される。駆動ユニット１６は内部の両側位置に電動モータを内蔵し、その駆動ギヤ軸を両側に突出している。環状ギヤベルト１４はその駆動ギヤ軸に内周面のギヤが歯合するように下端側が掛けられ、フレーム１２の他端側に設けられたギヤ軸に上端側が掛けられている。また、駆動ユニット１６には上記操作部４２の操作スイッチによる作動信号の受信機が備えられ、その作動信号に基づいて電動モータを作動させるようになっている。移動用ベルト体１０は駆動ユニット１６の両側位置がキャスター３の取り付け金具１９に回動可能にバネで付勢される状態で取り付けられ、バネの付勢によって上部側が外方に開くように設けられている。
【００１３】  一対のフレーム１２にはガイド孔２３が設けられ、押し下げロッド２５が押し下げられてその両端がガイド孔２３に沿って移動されることで、移動用ベルト体１０は背枠部９に重ね状態に折り畳まれるようになっている。この折り畳み状態は係止具２７に係止具２９が係止することで維持される。このように移動用ベルト体１０が背枠部９に沿うように折り畳まれ、さらに、上記したように下枠部５と座部７とが背枠部８に沿うように折り畳まれることで、車椅子１は非使用時においてコンパクトな形態となり、持ち運びが容易に行えるとともに、その収納スペースも小さくできる。また、移動用ベルト体１０のみが折り畳まれた状態においては、通常の車椅子としての使用が可能となる。
【００１４】  ２２は駆動ユニット１６内の電動モータの作動用電池であり、下枠部５の後部に取り付けられて駆動ユニット１６側に電気的に接続されている。
【００１５】  上記押し下げロッド２５にはロック体２８が固定されて取り付けられている。ロック体２８は、図３に示すように、ケーシング２６内にモータ３０と、モータ作動用電池３１と、モータ３０のギヤ軸３３に歯合して連動する回転ギヤ軸３５とを備え、その回転ギヤ軸３５の両側には一対のコイルバネ３６が装着されるとともに、その中央位置には下方に突出するロック片４０の上部が固定されている。ロック片４０はコイルバネ３６により突出する方向に付勢され、かつ、その突出位置に位置決めされるように設けられている。また、ロック体２８には上記操作部４２の操作スイッチによる作動信号の受信機が備えられ、その作動信号に基づいてモータ３０を作動させるようになっている。
【００１６】  図１、図２に示す移動用ベルト体１０の上部が開かれた状態において、被介護者が座部７上に座って適宜固定ベルトで固定され、背枠部９において上部の操作バー４０が引き出されるとともに持ち手４１のそれぞれが折り畳まれて、階段に沿っての移動が行われる。
【００１７】  以下、動作説明を行う。階段１００を上る際には、階段１００の上側において一人の操作者が車椅子１の後ろ側で引き出された操作バー４０を持ち、もう一人の操作者が階段１００の下側において前側の持ち手５１を持って移動を行う。後ろ側の操作者が操作部４２において上りスイッチを押すと、駆動ユニット１６のモータが正転作動され、これにより環状ギヤベルト１４が正転することで、図４に示すように、階段１００に沿って移動用ベルト体１０が移動して車椅子１は上り移動する。上りスイッチを押している間上り移動は継続される。その際には突出しているロック片４０が階段１００の角部に当たるが、角部に押されることでコイルバネ３６力に抗して回転変位されて外れ、これにより車椅子１は支障なく上り移動される。その上り移動に際して滑りが発生した場合には、突出するコック片４０の下面が階段１００の水平面５０に当接して車椅子１は図５と同様の状態となって停止する。
【００１８】  階段１００を下る際にも、階段１００の上側において操作者が車椅子１の後ろ側で操作バー４０を持ち、もう一人の操作者が階段１００の下側において前側の持ち手５１を持って移動を行う。後ろ側の操作者が操作部４２において下りスイッチを押すことで、駆動ユニット１６のモータが逆転作動されるとともにモータ３０が作動されてロック片４０が回転変位されることで、点線で示すように突出しない状態となる。環状ギヤベルト１４が逆転することで、図５に示すように、階段１００に沿って移動用ベルト体１０が移動して車椅子１は下り移動し、下りスイッチを押している間下り移動は継続される。その際にはロック片４０が突出していないことで下り移動はスムーズに行われる。
【００１９】  その下り降移動に際して滑りが発生した場合には、下りスイッチの押し動作を止めることで、駆動ユニット１６のモータの逆転作動が停止されるとともにモータ３０の作動が停止されてロック片４０がコイルバネ３６力で復元して突出する状態となる。これにより車椅子１の下り移動が停止され、かつ、滑りが進む中でロック片４０の下面が階段１００の水平面５０に当接して、車椅子１は安定した状態で停止される。
【符号の説明】
【００２０】１    車椅子
５    下枠部
７    座部
９    背枠部
１０    移動用ベルト体
２８    ロック体
４０    ロック片
５０    水平面
１００  階段
【図１】
2018130511.tif 000003
【図２】
2018130511.tif 000004
【図３】
2018130511.tif 000005
【図４】
2018130511.tif 000006
【図５】
2018130511.tif 000007